(57)【特許請求の範囲】
【請求項１】
マットレスであって、
当該マットレスの最も下層に位置する第１クッション層と、
当該マットレスの最も上層に積層されている第２クッション層と、
前記第１クッション層と前記第２クッション層との間に積層されている第１中間層及び第２中間層とを備え、
前記第１クッション層、前記第２クッション層及び前記第２中間層は、クッション材からなり、
前記第１中間層は、樹脂素材からなる三次元網状構造を形成する弾性部を有し、
前記第２中間層は、使用者の頭側に対応する頭側支持部と、使用者の腰側に対応する腰側支持部と、使用者の足側に対応する足側支持部とを有し、
前記腰側支持部は、前記頭側支持部及び前記足側支持部よりも硬い
マットレス。
【請求項２】
前記第２中間層は、前記第１中間層の上に積層されている
請求項１に記載のマットレス。
【請求項３】
回動可能に連結された第１ボトム及び第２ボトムを有するベッドに載置されるマットレスであって、
前記第１ボトムと前記第２ボトムとが同一平面を構成する状態で、前記第１ボトムと前記第２ボトムとの上に当該マットレスが載置された場合に、
前記頭側支持部と前記腰側支持部との接合部分である第１接合面は、前記頭側支持部と前記腰側支持部とが上下に重なり合うように前記平面に対して斜めとなり、
前記腰側支持部と前記足側支持部との接合部分である第２接合面は、前記腰側支持部と前記足側支持部とが上下に重なり合うように前記平面に対して斜めとなっている
請求項１又は２に記載のマットレス。
【請求項４】
前記足側支持部は、前記腰側支持部に隣接する第１足側支持部と、前記第１足側支持部
に隣接する第２足側支持部とを有し、
前記第２足側支持部は、前記腰側支持部よりも柔らかく、前記頭側支持部及び前記第１足側支持部よりも硬い
請求項１又は２に記載のマットレス。
【請求項５】
さらに、当該マットレスは、
平板状の直方体形状をなし、
前記第１クッション層と前記第２クッション層との間に積層され、当該マットレスの短手方向の一端側で当該マットレスの長手方向に向かって延びている第１端部材と、
前記第１クッション層と前記第２クッション層との間に積層され、前記短手方向の他端側で前記長手方向に向かって延びている第２端部材とを有し、
前記第１端部材と前記第２端部材との間には、前記第１中間層と前記第２中間層とが挟持されている
請求項１〜４のいずれか１項に記載のマットレス。
【請求項６】
前記第２クッション層は、前記第２中間層よりも柔らかい
請求項１〜５のいずれか１項に記載のマットレス。
【請求項７】
前記第１クッション層の前記ベッドと対面するベッド側面における前記第１ボトムと前記第２ボトムとの連結部分に対応する箇所には、少なくとも１つ以上の凹部が形成されており、
前記凹部は、深さが１０ｍｍ以上、かつ、開口幅が２０ｍｍ以上である
請求項３に記載のマットレス。
【請求項８】
前記凹部は、当該マットレスの短手方向に沿って前記第１クッション層の一方の側端縁から他方の側端縁にわたって形成されている
請求項７に記載のマットレス。
【請求項９】
前記第１クッション層の前記ベッド側面には、少なくとも１つ以上の連続切り込み部が当該マットレスの短手方向に沿って前記第１クッション層の一方の側端縁から他方の側端縁にわたって形成されている
請求項７又は８に記載のマットレス。
【発明の詳細な説明】
【技術分野】
【０００１】
本発明は、ベッドに用いるマットレスに関するものである。
【背景技術】
【０００２】
高齢者や療養者等の要介護者又は患者等（使用者）は、ベッドの上で長時間同じ姿勢をとらなければならない。このため、ベッドに載せるマットレスとしては寝心地の良いものが望まれる。寝心地の良いマットレスには、体圧分散性（ほどよい柔らかさ）、寝返り性（高反発性）、通気性、肌触り、ギャッジへの追従性等の性能が求められる。
【０００３】
従来、優れた体圧分散性を実現するために、クッション材を用いたマットレスが開示されている（例えば、特許文献１参照）。
【０００４】
このマットレスでは、第１クッション層、第２クッション層及び中間層によって使用者がこのマットレスの上に乗った際の圧力を分散している。
【先行技術文献】
【特許文献】
【０００５】
【特許文献１】特開平９−５１９１８号公報
【発明の概要】
【発明が解決しようとする課題】
【０００６】
しかしながら、特許文献１に記載されたマットレスでは、中間層の腰側が柔らかい素材で構成されているため、使用者がマットレスの上に乗ると、使用者の圧力によりマットレスが大きく変形し、使用者がマットレスの下方に沈み、使用者の姿勢が安定し難い。特に、このマットレスをベッド用のマットレスに適用した場合に、例えば、使用者がマットレスの上で寝姿勢をとると、圧力が集中する場所は腰側であるため、頭側及び足側に比べ、腰側が下方に深く沈んでしまう。このため、マットレスの上で寝姿勢となった場合、使用者の姿勢が不安定なままの状態が続くことになる。使用者が高齢者や療養者等の要介護者又は患者等の場合は、身体が不自由なため、頻繁に寝返り行う等のことができないことから、身体の歪みや痛みが生じる等の苦痛を受け易い。
【０００７】
本発明は、このような課題を解決するためになされたものであり、優れた寝姿勢を維持することができるマットレスを提供することを目的とする。
【課題を解決するための手段】
【０００８】
上記課題を解決するために、本発明に係るマットレスの一態様は、マットレスであって、当該マットレスの最も下層に位置する第１クッション層と、当該マットレスの最も上層に積層されている第２クッション層と、前記第１クッション層と前記第２クッション層との間に積層されている第１中間層及び第２中間層とを備え、前記第１クッション層、前記第２クッション層及び前記第２中間層は、クッション材からなり、前記第１中間層は、樹脂素材からなる三次元網状構造を形成する弾性部を有し、前記第２中間層は、使用者の頭側に対応する頭側支持部と、使用者の腰側に対応する腰側支持部と、使用者の足側に対応する足側支持部とを有し、前記腰側支持部は、前記頭側支持部及び前記足側支持部よりも硬い。
【発明の効果】
【０００９】
本発明によれば、優れた寝姿勢を維持することができる。
【図面の簡単な説明】
【００１０】
【図１】実施の形態１のマットレス及びベッドを斜め上方から見たときの斜視図である。
【図２】実施の形態１のマットレスに係る分解斜視図である。
【図３】実施の形態１のマットレスに係り、第１クッション層を示す正面図である。
【図４】（Ａ）は、図３のＩＶＡ−ＩＶＡ線における実施の形態１のマットレスに係り、第１クッション層を示す部分拡大断面図である。（Ｂ）は、図３のＩＶＢ−ＩＶＢ線における実施の形態１のマットレスに係り、第１クッション層を示す部分拡大断面図である。
【図５】実施の形態１のマットレスに係り、第１中間層を示す正面図である。
【図６】実施の形態１のマットレスに係り、第２中間層を示す正面図である。
【図７】（Ａ）は、図５のＶＩＩＢ−ＶＩＩＢ線における実施の形態１のマットレスに係り、第２中間層を示す拡大断面図である。（Ｂ）は、図６のＶＩＩＡ−ＶＩＩＡ線における実施の形態１のマットレスに係り、第１中間層を示す拡大断面図である。
【図８】実施の形態１のマットレスに係り、第２クッション層を示す正面図である。
【図９】背上げ及び膝上げのギャッジ動作を行ったときの本発明の実施の形態１に係るマットレス及びベッドの側面図である。
【図１０】比較例のマットレスに係り、使用者が寝姿勢となった状態を示す模式断面図である。
【図１１】実施の形態１のマットレスに係り、使用者が寝姿勢となった状態を示す模式断面図である。
【図１２】（Ａ）は、実施の形態１のマットレスに係り、図９に示す状態のマットレスの凹部の周辺の部分拡大断面図である。（Ｂ）は、実施の形態１のマットレスに係り、図９に示す状態のマットレスの連続切り込み部の周辺の部分拡大断面図である。
【図１３】（Ａ）は、実施の形態１の変形例１におけるマットレスに係り、第２中間層を示す部分断面図である。（Ｂ）は、実施の形態１の変形例２におけるマットレスに係り、第２中間層を示す部分断面図である。（Ｃ）は、実施の形態１の変形例３におけるマットレスに係り、第２中間層を示す部分断面図である。
【図１４】実施の形態２のマットレスに係る分解斜視図である。
【図１５】実施の形態２のマットレスに係り、第１クッション層を示す正面図である。
【発明を実施するための形態】
【００１１】
以下、本発明の実施の形態について、図面を参照しながら説明する。以下に説明する実施の形態は、いずれも本発明の好ましい一具体例を示すものである。したがって、以下の実施の形態で示される数値、形状、材料、構成要素、構成要素の配置位置及び接続形態などは、一例であって本発明を限定する主旨ではない。よって、以下の実施の形態における構成要素のうち、本発明の最上位概念を示す独立請求項に記載されていない構成要素については、任意の構成要素として説明される。
【００１２】
なお、各図は、模式図であり、必ずしも厳密に図示されたものではない。また、各図において、実質的に同一の構成に対しては同一の符号を付しており、重複する説明は省略又は簡略化する。
【００１３】
（実施の形態１）
以下、本発明の実施の形態１に係るマットレス１及びベッド２について説明する。
【００１４】
［マットレス］
まず、本発明の実施の形態１に係るマットレス１の構成について、図１及び図２を用いて説明する。図１は、本発明の実施の形態１に係るマットレス及びベッドを斜め上方から見たときの斜視図である。図２は、実施の形態１のマットレスに係る分解斜視図である。
【００１５】
図１では、使用者がマットレス１の上で、仰向きの寝姿勢になった状態で、使用者の頭側の方向を前方向、使用者の足側と後方向、使用者の右側を右方向、使用者の左側を左方向、使用者の上側を上方向、使用者の下側を下方向としている。そして、図２以降の各図に示す各方向は、全て図１に示す各方向に対応させて表示する。
【００１６】
図１に示すように、マットレス１は、ベッド用のマットレスであり、後述する、回動可能に連結されたボトム２１０を有するベッド２に載置される。この場合、マットレス１は、直接ベッド２に敷かれてもよいし、布カバー等を被せてからベッド２に敷かれてもよい。ベッド２を利用する使用者は、マットレス１に横たわって寝姿勢をとる。
【００１７】
以下の説明では、ボトム２１０が同一平面を構成する状態で、ベッド２にマットレス１が載置された状態について説明する。
【００１８】
マットレス１は、第１クッション層１０と、第１中間層２０と、第２中間層３０と、第２クッション層４０と、第１端部材５１と、第２端部材５２とを備えている。マットレス１は、マットレス１をベッド２に載置した場合において、第１クッション層１０、第１中間層２０、第２中間層３０及び第２クッション層４０の順に下層から上層に向かって積層された積層体である。
【００１９】
マットレス１は、全体形状が平板状の直方体であり、平面視形状が矩形状となっている。また、第１クッション層１０及び第２クッション層４０は、いずれも外形が同じ形状で、外形寸法も同じである。さらに、第１中間層２０及び第２中間層３０は、いずれも外形が同じ形状で、外形寸法も同じである。また、後述する、第１端部材５１と第２端部材５２との間に第１中間層２０及び第２中間層３０を挟持した場合では、これらと、第１クッション層１０及び第２クッション層４０とは、いずれも外形が同じ形状で、外形寸法も同じである。
【００２０】
マットレス１の詳細な構成について、図２を参照しつつ、図２〜図８について説明する。
【００２１】
図２は、実施の形態１のマットレスに係る分解斜視図である。図３は、実施の形態１のマットレスに係り、第１クッション層を示す正面図である。図４の（Ａ）は、図３のＩＶＡ−ＩＶＡ線における実施の形態１のマットレスに係り、第１クッション層を示す部分拡大断面図である。図４の（Ｂ）は、図３のＩＶＢ−ＩＶＢ線における実施の形態１のマットレスに係り、第１クッション層を示す部分拡大断面図である。図５は、実施の形態１のマットレスに係り、第１中間層を示す正面図である。図６は、実施の形態１のマットレスに係り、第２中間層を示す正面図である。図７の（Ａ）は、図５のＶＩＩＢ−ＶＩＩＢ線における実施の形態１のマットレスに係り、第２中間層を示す拡大断面図である。図７の（Ｂ）は、図６のＶＩＩＡ−ＶＩＩＡ線における実施の形態１のマットレスに係り、第１中間層を示す拡大断面図である。図８は、実施の形態１のマットレスに係り、第２クッション層を示す正面図である。
【００２２】
図２に示すように、マットレス１の最もベッド２側（下側）に位置する第１クッション層１０は、下面１０ａ（ベッド側面の一例）と、上面１０ｂとを有している。
【００２３】
第１クッション層１０の下面１０ａは、マットレス１をベッド２に載置した場合に、ベッド２と対面する。第１クッション層１０の下面１０ａは、直接的又は布カバー等を介して間接的に、ベッド２に載置される面である。
【００２４】
第１クッション層１０の上面１０ｂは、第１中間層２０及び第２中間層３０を挟んで第２クッション層４０と対面する。第１クッション層１０の上面１０ｂは、第１中間層２０が配置される面であって第１中間層２０の下面（後述する、頭側端部２２の下面２２ｅ、弾性部２１の下面２１ｃ、足側端部２３の下面２３ｅ）と接合する面である。
【００２５】
第１クッション層１０は、発泡ウレタン（クッション材の一例）からなる層であり、全体形状が平板状の直方体であり、平面視形状が矩形状となっている。本実施の形態において、第１クッション層１０の前後方向（長手方向の一例）の長さＬ１０は１９１０ｍｍであり、第１クッション層１０の左右方向（短手方向の一例）の長さＷ１０は９１０ｍｍである。また、第１クッション層１０は、上下方向（鉛直方向）の厚みｔ１０が３０ｍｍで、密度が２５〜３５ｋｇ／ｍ３で、４０％硬さが２００〜２２０Ｎ／３１４ｃｍ２であることが好ましい。特に、第１クッション層１０は、密度が３０ｋｇ／ｍ３で、４０％硬さが２１０Ｎ／３１４ｃｍ２であることが好ましい。なお、上下方向の厚みｔ１０は３０ｍｍより大きくてもよく、この厚みより小さくてもよい。
【００２６】
図２及び図３に示すように、第１クッション層１０の下面１０ａには、前後方向で等間隔に並んだ５本の凹部１１が形成されている。凹部１１は、第１クッション層１０の下面１０ａから上方に向かって凹む直線状の溝である。凹部１１は、第１クッション層１０の前後方向と略直交する左右方向に沿って第１クッション層１０の一方の側端縁から第１クッション層１０の他方の側端縁まで延びている。凹部１１は、少なくとも１本以上形成されていればよく、６本以上形成されていてもよい。
【００２７】
各凹部１１は、後述するように、図９に示すベッド２における膝ボトム２１３（第１ボトム及び第２ボトムの一例）と足ボトム２１４（第１ボトム及び第２ボトムの一例）との連結部分に対応する箇所に形成される。つまり、凹部１１は、マットレス１の上で寝姿勢になる使用者の足側に対応する位置に形成される。
【００２８】
図３に示すように、各凹部１１は、第１クッション層１０における前後方向の前側端縁から長さＬ１１ａと長さＬ１１ｂとの間の領域に形成されている。本実施の形態において、各凹部１１は、長さＬ１１ａが１５００ｍｍで、長さＬ１１ｂが１２１０ｍｍであり、領域の長さＡ１１は２９０ｍｍである。これらの長さＬ１１ａ、Ｌ１１ｂ及び領域の長さＡ１１は、適宜変更してもよい。
【００２９】
図４の（Ａ）に示すように、各凹部１１における前後方向の開口幅Ｗ１１は、２０ｍｍ以上であればよい。実施の形態１では、各凹部１１における前後方向の開口幅Ｗ１１をそれぞれ３５ｍｍとしている。実施の形態１において、各凹部１１の開口幅Ｗ１１はそれぞれ同じである。また、各凹部１１の断面形状は、矩形である。なお、凹部１１の断面形状は、逆三角形、逆台形等でもよい。また、各凹部１１において、１本の凹部１１と、これに隣接する凹部１１とは、それぞれ３０ｍｍの間隔Ｓ１１を隔てて略平行に並んでいる。
【００３０】
第１クッション層１０の下面１０ａからの深さＤ１１は、１０ｍｍ以上であればよい。実施の形態１では、各凹部１１の深さＤ１１はそれぞれ同じ長さである。実施の形態１では、第１クッション層１０の下面からの深さＤ１１を２０ｍｍとしている。
【００３１】
図２及び図３に示すように、第１クッション層１０の下面１０ａには、さらに、前後方向で等間隔に並んだ７本の連続切り込み部１２が形成されている。連続切り込み部１２は、第１クッション層１０の下面１０ａから上方に向かって切り込まれている直線状のスリットである。連続切り込み部１２は、第１クッション層１０の前後方向と略直交する左右方向に沿って第１クッション層１０の一方の側端縁から第１クッション層１０の他方の側端縁まで延びている。連続切り込み部１２は、少なくとも１本以上形成されていればよく、８本以上形成されていてもよい。
【００３２】
各連続切り込み部１２は、後述するように、図１に示すベッド２における腰ボトム２１２（第１ボトム及び第２ボトムの一例）に対応する箇所に形成される。つまり、連続切り込み部１２は、マットレス１の上で寝姿勢になる使用者の腰側に対応する位置に形成される。
【００３３】
図３に示すように、連続切り込み部１２は、第１クッション層１０における前後方向の前側端縁から長さＬ１２ａと長さＬ１２ｂとの間の領域に形成されている。本実施の形態において、各連続切り込み部１２は、長さＬ１２ａが１０００ｍｍで、長さＬ１２ｂが７００ｍｍであり、領域の長さＡ１２は３００ｍｍである。これらの長さＬ１２ａ、Ｌ１２ｂ及び領域の長さＡ１２は、適宜変更してもよい。
【００３４】
図４の（Ｂ）に示すように、各連続切り込み部１２において、１本の連続切り込み部１２と、これに隣接する連続切り込み部１２とは、それぞれ５０ｍｍの間隔Ｓ１２を隔てて略平行に並んでいる。つまり、各連続切り込み部１２のそれぞれの間隔Ｓ１２は、凹部１１の間隔Ｓ１１よりも大きくしている。なお、各連続切り込み部１２の切り込み形状は、直線であるが、曲線、波線等でもよい。また、各凹部１１において、１本の凹部１１と、これに隣接する凹部１１とは、それぞれ３０ｍｍの間隔Ｓ１２を隔てて略平行に並んでいる。
【００３５】
各連続切り込み部１２における第１クッション層１０の下面１０ａからの深さＤ１２は、適宜設定してもよい。実施の形態１では、第１クッション層１０の下面１０ａからの深さＤ１２を２０ｍｍとしている。
【００３６】
図２及び図５に示すように、第１中間層２０は、第１クッション層１０と第２クッション層４０との間に積層されている。具体的には、第１中間層２０は、第１クッション層１０と第２中間層３０との間に積層され、第１クッション層１０の上面１０ｂに接着剤等で接着されている。第１中間層２０は、マットレス１における最下層から第２層目である。第１中間層２０は、全体形状が、平板状の直方体であり、平面視形状が矩形状となっている。本実施の形態において、第１中間層２０の前後方向の長さＬ２０は１９１０ｍｍであり、第１中間層２０の左右方向の長さＷ２１は５３０ｍｍである。
【００３７】
第１中間層２０は、弾性部２１と、頭側端部２２と、足側端部２３とを有している。
【００３８】
弾性部２１は、ポリエステル樹脂等の樹脂素材からなる三次元網状構造をなしている。弾性部２１は、第１中間層２０の主領域である。弾性部２１は、全体形状が平板状の直方体であり、平面視形状が矩形状となっている。なお、弾性部２１を構成する糸状の樹脂繊維としては、パイプ状に形成された中空の糸状の樹脂繊維を用いてもよい。
【００３９】
弾性部２１は、前側の面を構成する前面２１ａと、後側の面を構成する後面２１ｂと、右側の側面を構成する右面２１ｆと、左側の側面を構成する左面２１ｇと、上側の面を構成する上面２１ｄと、下側の面を構成する下面２１ｃとが形成されている。
【００４０】
図５に示すように、本実施の形態では、弾性部２１の前後方向の長さＬ２１は１７１０ｍｍであり、弾性部２１の左右方向の長さＷ２１は５３０ｍｍである。また、本実施の形態において、弾性部２１は、上下方向の厚みｔ２０が３０ｍｍで、密度が５０〜５５ｋｇ／ｍ３であることが好ましい。特に、弾性部２１の密度が５０ｋｇ／ｍ３であることが好ましい。なお、上下方向の厚みｔ２０は３０ｍｍより大きくてもよく、この厚みより小さくてもよい。
【００４１】
弾性部２１は、例えば、無数の糸状の樹脂素材がランダムに絡み合うように形成された三次元網状のスプリング構造であるので、通気性、高反発性（クッション性）及び耐久性等の性能を有している。
【００４２】
図２及び図５に示すように、頭側端部２２及び足側端部２３は、発泡ウレタンからなる層であり、左右方向に延びる直方体部材である。頭側端部２２及び足側端部２３は、第２中間層３０と第１クッション層１０との間に積層されている。
【００４３】
図５に示すように、本実施の形態において、頭側端部２２及び足側端部２３は、前後方向の長さＬ２２が１００ｍｍであり、左右方向の長さＷ２１が５３０ｍｍである。また、頭側端部２２及び足側端部２３は、上下方向の厚みｔ２０が３０ｍｍで、密度が２５〜３５ｋｇ／ｍ３で、４０％硬さが２００〜２２０Ｎ／３１４ｃｍ２であることが好ましい。特に、頭側端部２２及び足側端部２３は、密度が３０ｋｇ／ｍ３で、４０％硬さが２１０Ｎ／３１４ｃｍ２であることが好ましい。なお、上下方向の厚みｔ２０は３０ｍｍより大きくてもよく、この厚みより小さくてもよい。
【００４４】
頭側端部２２は、後側の面を構成する後面２２ａと、右側の側面を構成する右面２２ｂと、左側の側面を構成する左面２２ｃと、上側の面を構成する上面２２ｄと、下側の面を構成する下面２２ｅとが形成されている。
【００４５】
頭側端部２２の後面２２ａは、弾性部２１の前端側の前面２１ａと接触しているだけでもよく、接着剤等で接着されていてもよい。頭側端部２２の下面２２ｅは、マットレス１の左右方向の前側で第１クッション層１０の上面１０ｂに接着剤等で接着している。
【００４６】
足側端部２３は、前側の面を構成する前面２３ａと、右側の側面を構成する右面２３ｂと、左側の側面を構成する左面２３ｃと、上側の面を構成する上面２３ｄと、下側の面を構成する下面２３ｅとが形成されている。足側端部２３の前面２３ａは、弾性部２１の後端側の後面２１ｂと接触しているだけでもよく、接着剤等で接着されていてもよい。足側端部２３の下面２３ｅは、マットレス１の左右方向の後側で第１クッション層１０の上面１０ｂに接着剤等で接着している。つまり、頭側端部２２及び足側端部２３は、弾性部２１を挟持している。
【００４７】
図２及び図６に示すように、第２中間層３０は、第１クッション層１０と第２クッション層４０との間に積層されている。具体的には、第２中間層３０は、第１中間層２０と第２クッション層４０との間に積層され、第１中間層２０の上面（頭側端部２２の上面２２ｄ、足側端部２３の上面２３ｄ、弾性部２１の上面２１ｄ）に接着剤等で接着されている。第２中間層３０は、マットレス１における最下層から第３層目である。第２中間層３０は、全体形状が、平板状の直方体であり、平面視形状が矩形状となっている。図６に示すように、本実施の形態において、第２中間層３０の前後方向の長さＬ３０は１９１０ｍｍであり、第２中間層３０の左右方向の長さＷ３１は５３０ｍｍである。
【００４８】
図２及び図６に示すように、第２中間層３０は、頭側支持部３１と、腰側支持部３２と、足側支持部３３とを有している。頭側支持部３１、腰側支持部３２及び足側支持部３３は、使用者の頭側から足側に向かって順番に並んでいる。頭側支持部３１、腰側支持部３２及び足側支持部３３は、発泡ウレタンからなる層である。
【００４９】
頭側支持部３１は、マットレス１の前方側に位置し、使用者の頭側に対応している。頭側支持部３１は、後側の面を構成する第１接合面３１ａと、右側の側面を構成する右面３１ｂと、左側の側面を構成する左面３１ｃと、上側の面を構成する上面３１ｄと、下側の面を構成する下面３１ｅとを有している。
【００５０】
図２及び図７の（Ａ）に示すように、頭側支持部３１の第１接合面３１ａは、前方から後方に向かって下り傾斜し、上方を向いている。頭側支持部３１の下面３１ｅは、第１中間層２０の上面に接着している。つまり、頭側支持部３１の下面３１ｅは、頭側端部２２の上面２２ｄ、及び、弾性部２１の上面２１ｄの前方側と接着剤等で接着している。なお、頭側支持部３１の下面３１ｅと弾性部２１の上面２１ｄとは、接触しているだけでもよい。
【００５１】
図７の（Ａ）に示すように、頭側支持部３１は、上辺が短辺、下辺が長辺であり、図６のＶＩＩＡ−ＶＩＩＡ断面が台形形状をなした平板状の部材である。頭側支持部３１の下面３１ｅと頭側支持部３１の第１接合面３１ａとが交差する角度θは、３０°〜５０°が好ましく、より好ましい角度θは、３０°である。
【００５２】
図２及び図７の（Ａ）に示すように、腰側支持部３２は、マットレス１の中央側に位置し、使用者の腰側に対応している。腰側支持部３２は、前側の面を構成する第１接合面３２ａと、後側の面を構成する第２接合面３２ｂと、右側の側面を構成する右面３２ｃと、左側の側面を構成する左面３２ｄと、上側の面を構成する上面３２ｆと、下側の面を構成する下面３２ｇとを有している。
【００５３】
腰側支持部３２の第１接合面３２ａは、前方から後方に向かって下り傾斜し、下方に向いている。腰側支持部３２の第２接合面３２ｂは、前方から後方に向かって上り傾斜し、下方に向いている。腰側支持部３２の下面３２ｇは、第１中間層２０の上面と接着している。つまり、腰側支持部３２の下面３２ｇは、弾性部２１の中央側の上面２１ｄと接着剤等で接着している。なお、腰側支持部３２の下面３２ｇと弾性部２１の上面２１ｄとは、接触しているだけでもよい。
【００５４】
図７の（Ａ）に示すように、腰側支持部３２は、上辺が長辺、下辺が短辺であり、図６のＶＩＩＡ−ＶＩＩＡ断面が台形形状をなした平板状の部材である。腰側支持部３２の上面３２ｆと腰側支持部３２の第１接合面３２ａとが交差する角度θ、及び、腰側支持部３２の上面３２ｆと腰側支持部３２の第２接合面３２ｂとが交差する角度θは、３０°〜５０°が好ましく、より好ましい角度θは、３０°である。
【００５５】
図２及び図７の（Ａ）に示すように、足側支持部３３は、マットレス１の後方側に位置し、使用者の足側に対応している。足側支持部３３は、前側の面を構成する第２接合面３３ａと、右側の側面を構成する右面３３ｂと、左側の側面を構成する左面３３ｃと、上側の面を構成する上面３３ｅと、下側の面を構成する下面３３ｆとを有している。
【００５６】
足側支持部３３の第２接合面３３ａは、前方から後方に向かって上り傾斜し、上方を向いている。足側支持部３３の下面３３ｆは、第１中間層２０の上面に接着されている。つまり、足側支持部３３の下面３３ｆは、足側端部２３の上面２３ｄ、及び、弾性部２１の上面２１ｄの後方側と接着剤等で接着している。なお、足側支持部３３の下面３３ｆと弾性部２１の上面２１ｄとは、接触しているだけでもよい。
【００５７】
図７の（Ａ）に示すように、足側支持部３３は、上辺が短辺、下辺が長辺であり、図６のＶＩＩＡ−ＶＩＩＡ断面が台形形状をなした平板状の部材である。足側支持部３３の下面３３ｆと足側支持部３３の第２接合面３３ａとが交差する角度θは、３０°〜５０°が好ましく、より好ましい角度θは、３０°である。
【００５８】
腰側支持部３２は、頭側支持部３１及び足側支持部３３と硬さが異なっている。腰側支持部３２は、頭側支持部３１及び足側支持部３３よりも硬い。
【００５９】
本実施の形態において、頭側支持部３１は前後方向の長さＬ３１が６５０ｍｍであり、腰側支持部３２は前後方向の長さＬ３２が４５０ｍｍであり、足側支持部３３は前後方向の長さＬ３３が８１０ｍｍである。長さＬ３１と長さＬ３２と長さＬ３３との合計は、長さＬ３０と等しい。また、頭側支持部３１及び足側支持部３３において、上下方向の厚みｔ３０が２０ｍｍで、密度が２０〜３０ｋｇ／ｍ３で、４０％硬さが１００〜１２０Ｎ／３１４ｃｍ２である。また、本実施の形態では、腰側支持部３２は、上下方向の厚みｔ３０が２０ｍｍで、密度が２５〜３５ｋｇ／ｍ３で、４０％硬さが２００〜２２０Ｎ／３１４ｃｍ２である。特に、頭側支持部３１及び足側支持部３３において、密度が２６ｋｇ／ｍ３で、４０％硬さが１１０Ｎ／３１４ｃｍ２であることが好ましい。特に、腰側支持部３２において、密度が３０ｋｇ／ｍ３で、４０％硬さが２１０Ｎ／３１４ｃｍ２であことが好ましい。なお、頭側支持部３１、腰側支持部３２及び足側支持部３３において、上下方向の厚みｔ３０は２０ｍｍより大きくてもよく、この厚みより小さくてもよい。
【００６０】
図２及び図７の（Ａ）に示すように、ボトム２１０が同一平面を構成する状態で、ボトム２１０にマットレス１が載置された場合に、頭側支持部３１の接合部分である第１接合面３１ａと、腰側支持部３２の接合部分である第１接合面３２ａとは、頭側支持部３１と腰側支持部３２とが上下に重なり合うように平面に対して斜めとなっている。つまり、頭側支持部３１の接合部分である第１接合面３１ａは腰側支持部３２の下に入り込んでいる状態であり、腰側支持部３２の接合部分である第１接合面３２ａは頭側支持部３１の上に覆いかぶさっている状態である。頭側支持部３１の第１接合面３１ａと腰側支持部３２の第１接合面３２ａとは、接着剤等で接着している。
【００６１】
ボトム２１０が同一平面を構成する状態で、ベッド２にマットレス１が載置された場合に、腰側支持部３２の接合部分である第２接合面３２ｂと、足側支持部３３の接合部分である第２接合面３３ａとは、腰側支持部３２と足側支持部３３とが上下に重なり合うように平面に対して斜めとなっている。つまり、腰側支持部３２の接合部分である第２接合面３２ｂは足側支持部３３の上に覆いかぶさっている状態であり、腰側支持部３２の接合部分である第２接合面３２ｂは足側支持部３３の下に入り込んでいる状態である。腰側支持部３２の第２接合面３２ｂと足側支持部３３の第２接合面３３ａとは、接着剤等で接着している。
【００６２】
図２、図５及び図６に示すように、第１中間層２０及び第２中間層３０は、第１端部材５１と、第２端部材５２との２つの直方体部材によって左右方向から挟持されている。第２端部材５２は、マットレス１の左端側でマットレス１の前後方向に向かって延びている。第１端部材５１及び第２端部材５２は、第１クッション層１０と第２クッション層４０との間に積層されている。つまり、マットレス１において、左右方向の両端側は、第１クッション層１０と、第１端部材５１又は第２端部材５２と、第２クッション層４０との３層構造である。
【００６３】
第１端部材５１及び第２端部材５２は、発泡ウレタンからなる層であり、前後方向に延びる直方体部材である。図５及び図６に示すように、本実施の形態において、第１端部材５１及び第２端部材５２の前後方向の長さＬ２０は１９１０ｍｍであり、第１端部材５１及び第２端部材５２の左右方向の長さＷ２２は１９０ｍｍである。すなわち、第１端部材５１及び第２端部材５２の左右方向の長さＷ２２、Ｗ２２と、弾性部２１の左右方向の長さＷ２１との合計は、第１クッション層１０の左右方向の長さＷ１０と等しい。また、第１端部材５１及び第２端部材５２の左右方向の長さＷ２２、Ｗ２２と、第２中間層３０の左右方向の長さＷ３１との合計は、第１クッション層１０の左右方向の長さＷ１０と等しい。
【００６４】
また、本実施の形態では、第１端部材５１及び第２端部材５２において、上下方向の厚みｔ２１、ｔ２２が５０ｍｍで、密度が３８ｋｇ／ｍ３〜４８ｋｇ／ｍ３で、４０％硬さが２９０〜３１０Ｎ／３１４ｃｍ２であることが好ましい。特に、第１端部材５１及び第２端部材５２において、密度が４３ｋｇ／ｍ３で、４０％硬さが３００Ｎ／３１４ｃｍ２である。なお、第１端部材５１及び第２端部材５２において、上下方向の厚みｔ２１、ｔ２２は５０ｍｍより大きくてもよく、この厚みより小さくてもよい。
【００６５】
図２、図５及び図６に示すように、第１端部材５１は、マットレス１の右端側でマットレス１の前後方向に向かって延びている。第１端部材５１は、左側の側面を構成する左面５１ａと、上側の面を構成する上面５１ｂと、下側の面を構成する下面５１ｃとを有している。
【００６６】
第１端部材５１の左面５１ａは、頭側端部２２の右面２２ｂと、弾性部２１の右側の右面２１ｆと、足側端部２３の右面２３ｂと、頭側支持部３１の右面３１ｂと、腰側支持部３２の右面３２ｃと、足側支持部３３の右面３３ｂと接着剤等で接着している。第１端部材５１の下面５１ｃと第１クッション層１０の上面１０ｂの右端側とは、接着剤等で接着している。
【００６７】
第２端部材５２は、マットレス１の左端側でマットレス１の前後方向に向かって延びている。第２端部材５２は、右側の側面を構成する右面５２ａと、上側の面を構成する上面５２ｂと、下側の面を構成する下面５２ｃとを有している。
【００６８】
第２端部材５２の右面５２ａは、頭側端部２２の左面２２ｃと、弾性部２１の左側の左面２１ｇと、足側端部２３の左面２３ｃと、頭側支持部３１の左面３１ｃと、腰側支持部３２の左面３２ｄと、足側支持部３３の左面３３ｃと接着剤等で接着している。第２端部材５２の下面５２ｃと第１クッション層１０の左端側の上面１０ｂとは、接着剤等で接着している。
【００６９】
図２及び図８に示すように、第２クッション層４０は、第２中間層３０の上に積層されている。つまり、第２クッション層４０の下面４０ａは、第２中間層３０の上面、第１端部材５１の上面５１ｂ、及び、第２端部材５２の上面５２ｂに接着剤等で接着されている。第２クッション層４０は、マットレス１における最下層から第４層目、すなわち最上層である。第２クッション層４０は、発泡ウレタンからなる層である。第２クッション層４０は、全体形状が、平板状の直方体であり、平面視形状が矩形状となっている。
【００７０】
図８に示すように、本実施の形態において、第２クッション層４０の前後方向の長さＬ４０は１９１０ｍｍであり、第２クッション層４０の左右方向の長さＷ４０は９１０ｍｍである。長さＬ４０は、第１クッション層１０の長さＬ１０と、第１中間層２０の長さＬ２０と、第２中間層３０の長さＬ３０と等しい。また、長さＷ４０は、第１クッション層１０の長さＷ１０と等しい。本実施の形態では、上下方向の厚みｔ４０が２０ｍｍで、密度が４３ｋｇ／ｍ３〜５３ｋｇ／ｍ３で、４０％硬さが４０〜５０Ｎ／３１４ｃｍ２であることが好ましい。特に、第２クッション層４０において、密度は４８ｋｇ／ｍ３であり、４０％硬さが４５Ｎ／３１４ｃｍ２であることが好ましい。つまり、第２クッション層４０は、このマットレス１に用いられている部材の中で最も柔らかい。また、第２クッション層４０は、このマットレス１に用いられている部材の中で、発泡ウレタンの連続気泡構造のキメが最も細かい。なお、第２クッション層４０において、上下方向の厚みｔ４０は２０ｍｍより大きくてもよく、この厚みより小さくてもよい。
【００７１】
このように構成されるマットレス１において、第１クッション層１０、第１中間層２０、第２中間層３０、第２クッション層４０、第１端部材５１及び第２端部材５２における各層の厚みは、上述のように、ｔ１０＝３０ｍｍ、ｔ２０＝３０ｍｍ、ｔ３０＝２０ｍｍ、ｔ４０＝２０ｍｍ、ｔ２１＝５０ｍｍ、ｔ２２＝５０ｍｍとなっている。つまり、第１クッション層１０と第１中間層２０とが同等の厚みであり、第２中間層３０と第２クッション層４０とが同等の厚みであり、かつ厚みが最も薄い。
【００７２】
第１クッション層１０の密度は、上述のように、ρ＝３０ｋｇ／ｍ３になっている。頭側端部２２、弾性部２１、足側端部２３の各密度は、上述のように、ρ＝３０ｋｇ／ｍ３、ρ＝５０ｋｇ／ｍ３、ρ＝３０ｋｇ／ｍ３になっている。頭側支持部３１、腰側支持部３２、足側支持部３３の各密度は、上述のように、ρ＝２６ｋｇ／ｍ３、ρ＝３０ｋｇ／ｍ３、ρ＝２６ｋｇ／ｍ３になっている。第２クッション層４０の密度は、上述のように、ρ＝４８ｋｇ／ｍ３になっている。第１端部材５１及び第２端部材５２における各層の密度は、上述のように、ともにρ＝４３ｋｇ／ｍ３になっている。つまり、腰側支持部３２の密度は、第１クッション層１０、頭側端部２２及び足側端部２３と同じ密度である。また、頭側支持部３１及び足側支持部３３の密度は、このマットレス１に用いられている部材の中で、最も小さい密度である。さらに、第２クッション層４０の密度は、頭側支持部３１、腰側支持部３２、足側支持部３３、第１端部材５１、第２端部材５２等よりも大きく、弾性部２１の密度の次に大きい。
【００７３】
使用者は、第２クッション層４０の表面上又は、布カバー等を介してマットレス１の上で寝姿勢になる。このため、第２クッション層４０は、第２中間層３０よりも柔らかい。
【００７４】
第１クッション層１０、頭側端部２２及び足側端部２３の各硬さは、上述のように、ともにＨ＝２１０Ｎ／３１４ｃｍ２になっている。頭側支持部３１、腰側支持部３２、足側支持部３３の各硬さは、上述のように、Ｈ＝１１０Ｎ／３１４ｃｍ２、Ｈ＝２１０Ｎ／３１４ｃｍ２、Ｈ＝１１０Ｎ／３１４ｃｍ２になっている。第２クッション層４０の硬さは、上述のように、Ｈ＝４５Ｎ／３１４ｃｍ２になっている。第１端部材５１及び第２端部材５２における各層の硬さは、上述のように、ともにＨ＝３００Ｎ／３１４ｃｍ２になっている。つまり、腰側支持部３２は、第１クッション層１０、頭側端部２２及び足側端部２３と同じ硬さである。また、頭側支持部３１及び足側支持部３３は、第１クッション層１０、頭側端部２２、足側端部２３等よりも柔らかく、第２クッション層４０よりも硬い。さらに、第２クッション層４０は、このマットレス１に用いられている部材の中で、最も柔らかい。
【００７５】
［ベッド］
次に、本発明の実施の形態１に係るベッド２の全体構成について説明する。
【００７６】
図１に示すように、ベッド２は、病院、介護施設又は家庭において、要介護者又は患者等が利用するベッド２であって、使用者を支持するボトム２１０と、ボトム２１０の姿勢及び高さを調節する図示しない調節機構と、ベッド２フレームと、調節機構に動作指令を与えるためのリモコン等の図示しない操作部とを備えている。なお、ボトム２１０の上には、上記のマットレス１が例えば布カバーを被せた状態で配置される。
【００７７】
ボトム２１０は、複数に分割されており、互いにヒンジ（蝶番）等で回動可能に順次連結された複数の部位からなる。ボトム２１０は、例えば４つに分割されており、背ボトム２１１（第１ボトム及び第２ボトムの一例）及び腰ボトム２１２の他に、膝ボトム２１３と、足ボトム２１４とを有している。なお、ボトムは４つに分割されているが、３つ以下に分割されていてもよく５つ以上に分割されていてもよい。
【００７８】
背ボトム２１１は、ベッド２の使用者の背中部分に対応する位置に配置される。腰ボトム２１２は、ベッド２の使用者の腰部分（腰側）に対応する位置に配置されている。膝ボトム２１３は、ベッド２の使用者の大腿部分（足側）に対応する位置に配置されている。足ボトム２１４は、ベッド２の使用者の下腿部分（足側）に対応する位置に配置されている。
【００７９】
調節機構は、操作部から送られてくる動作指令に従ってボトム２１０の姿勢及び高さを調節する機構である。この調節機構は、制御回路と、その制御回路による制御の下で動作する電動アクチュエータ（モータ等）と、電動アクチュエータによって可動するリンク機構（背上げリンク機構、膝上げリンク機構等）とを有している。
【００８０】
ベッド２は、例えば、ボトム２１０を支持するメインフレームと、ベッド２を利用する使用者の頭側に設けられたヘッドボードと、その使用者の足側に設けられたフットボードとを備える。
【００８１】
このように構成されるベッド２では、背ボトム２１１、腰ボトム２１２、膝ボトム２１３及び足ボトム２１４の各ボトムの連結部分（ヒンジ）を支点としてギャッジ動作を行うことによって、ベッド２の使用者の起き上がり動作を補助する。例えば、背ボトム２１１が背上げリンク機構によって可動するとともに、膝ボトム２１３及び足ボトム２１４が膝上げリンク機構によって可動する。これにより、ボトム２１０は、図８に示すような姿勢に変形する。
【００８２】
図９は、背上げ及び膝上げのギャッジ動作を行ったときの本発明の実施の形態１に係るマットレス及びベッドの側面図である。
【００８３】
具体的には、まず、図９に示すように、背ボトム２１１、腰ボトム２１２、膝ボトム２１３及び足ボトム２１４が水平状態のボトム２１０の上にマットレス１（不図示）を介して使用者が寝ているときに、ボトム２１０の背上げのギャッジ動作を行うための操作ボタンが押下されると、調節機構の膝上げリンク機構が動作して、膝ボトム２１３と足ボトム２１４と山形に起き上がるように傾斜する。
【００８４】
次いで、膝ボトム２１３及び足ボトム２１４の傾斜動作中に、調節機構の背上げリンク機構が動作して、背ボトム２１１が起き上がるように傾斜する。その後、膝ボトム２１３及び足ボトム２１４は、最大膝上げ位置まで起き上がっていくと同時に、背ボトム２１１も最大背上げ位置まで起き上がっていく。これにより、ボトム２１０の背上げが完了する。このように、本実施の形態では、背上げに膝上げを連動させて使用者の起き上がり動作を補助している。
【００８５】
［作用効果］
次に、本実施の形態１におけるマットレス１の作用効果について説明する。
【００８６】
上述したように、実施の形態１に係るマットレス１は、マットレス１の最も下層に位置する第１クッション層１０と、マットレス１の最も上層に積層されている第２クッション層４０と、第１クッション層１０と第２クッション層４０との間に積層されている第１中間層２０及び第２中間層３０とを備えている。第１クッション層１０、第２クッション層４０及び第２中間層３０は、クッション材からなっている。第１中間層２０は、樹脂素材からなる三次元網状構造を形成する弾性部２１を有している。
【００８７】
この構成によれば、このマットレス１では、使用者がマットレス１の上に乗ると、マットレス１が変形し、使用者が下方に沈む。しかし、第１クッション層１０と第２クッション層４０との間に積層されている樹脂素材の弾性部２１は、その弾性力により、使用者が下方に沈みすぎることを抑制している。このため、例えば、使用者が略水平に載置しているマットレス１の上に寝ている場合に、圧力が集中する使用者の腰側が下方に沈み難く、使用者の寝姿勢が略水平に維持される。
【００８８】
弾性部２１は、三次元網状のスプリング構造であるため、通気性を有するのでムレにくく、高反発性を有するので寝返りを打ちやすく、耐久性を有するので繰り返し圧縮に耐えることができる。これにより、このマットレス１では、三次元網状構造の弾性部２１とし、それ以外の部分を発泡ウレタンとすることによって、放熱性や通気性に優れ、より体圧分散性を確保しつつ、適度な硬さを確保できる。
【００８９】
したがって、このマットレス１では、優れた寝姿勢を維持することができる。
【００９０】
さらに、実施の形態１に係るマットレス１では、第２中間層３０は、第１中間層２０の上に積層されている。
【００９１】
この構成によれば、使用者がマットレス１の上で寝姿勢になると、発泡ウレタンからなる第２クッション層４０及び第２中間層３０が使用者の圧力により変形し、第１中間層２０の弾性部２１が第２クッション層４０及び第２中間層３０を支持する。このため、このマットレス１によれば、体圧分散を行い易い。
【００９２】
さらに、実施の形態１に係るマットレス１では、第２中間層３０は、使用者の頭側を支持する頭側支持部３１と、使用者の腰側を支持する腰側支持部３２と、使用者の足側を支持する足側支持部３３とを有している。そして、腰側支持部３２は、頭側支持部３１及び足側支持部３３と硬さが異なっている。
【００９３】
この構成によれば、使用者がマットレス１に寝姿勢となった場合に、圧力が集中する腰側は、頭側及び足側と異なる体圧分散がされる。
【００９４】
次に、比較例におけるマットレス１と本実施の形態１におけるマットレス１との作用効果について、図１０及び図１１を用いて説明する。
【００９５】
図１０は、比較例のマットレスに係り、使用者が寝姿勢となった状態を示す模式断面図である。図１１は、実施の形態１のマットレスに係り、使用者が寝姿勢となった状態を示す模式断面図である。
【００９６】
図１０に示すように、比較例のマットレス１は、実施例１のマットレス１と同じ構成であるため、同じ構成については、同様の符号を用いる。実施例１のマットレス１と、比較例のマットレス１との相違点は、実施例１のマットレス１では腰側支持部３２が頭側支持部３１及び足側支持部３３よりも硬いのに対し、比較例のマットレス１では腰側支持部３２が頭側支持部３１及び足側支持部３３よりも柔らかい。
【００９７】
比較例のマットレス１でも、使用者が寝姿勢のときに、腰側がマットレス１に最も圧力がかかる。このため、比較例のマットレス１では、腰側支持部３２が頭側支持部３１及び足側支持部３３よりも柔らかいため、使用者が寝姿勢となっているときに、腰側が下方に沈んでしまう。このため、使用者の寝姿勢は、水平面に対して略平行となり難い。このため、高齢者や療養者等の要介護者又は患者等の使用者が寝がえりをうち難い。その結果、比較例のマットレス１では、使用者が長時間使用した場合に、身体の歪みや痛みが生じる等の苦痛を受け易い。
【００９８】
これに対して、図１１に示すように、実施の形態１に係るマットレス１では、腰側支持部３２は、頭側支持部３１及び足側支持部３３よりも硬い。
【００９９】
この構成によれば、使用者がマットレス１に寝姿勢となった場合に、圧力が集中する腰側は、頭側及び足側に比べて、マットレス１の下方に深く沈みこむことが抑制される。つまり、使用者が寝姿勢となっているときに、腰側が下方に沈み難い。このため、使用者は、頭側から足側にかけて略直線状の姿勢を保つことができる。言い換えれば、使用者の寝姿勢は、水平面に対して略平行となる。このため、このマットレス１では、使用者が寝返りを打ち易く、優れた寝姿勢を維持することができる。その結果、比較例のマットレス１では、長時間使用した場合でも、身体の歪みや痛みが生じる等の苦痛を受け難くなる。
【０１００】
さらに、実施の形態１に係るマットレス１では、ボトム２１０が同一平面を構成する状態で、ボトム２１０上にマットレス１が載置されている場合である。この場合、頭側支持部３１と腰側支持部３２との接合部分である第１接合面３１ａ、３２ａは、頭側支持部３１と腰側支持部３２とが上下に重なり合うように平面に対して斜めとなっている。また、この場合、腰側支持部３２と足側支持部３３との接合部分である第２接合面３２ｂ、３３ａは、腰側支持部３２と足側支持部３３とが上下に重なり合うように平面に対して斜めとなっている。
【０１０１】
この構成によれば、使用者がマットレス１の上に寝姿勢となった場合に、頭側支持部３１と腰側支持部３２との接合部分及び腰側支持部３２と足側支持部３３との接合部分の硬さが徐々に変化するように感じる。すなわち、使用者は、マットレス１の上に寝姿勢となった場合に、この接合部分において、頭側支持部３１から腰側支持部３２に向かって徐々に硬くなり、腰側支持部３２から足側支持部３３に向かって徐々に硬くなっていくように感じる。このため、使用者は、これらの接合部分から違和感を覚え難い。
【０１０２】
図１２の（Ｂ）は、実施の形態１のマットレスに係り、図９に示す状態のマットレスの連続切り込み部の周辺の断面図である。
【０１０３】
図１２の（Ｂ）は、背ボトム２１１が最大位置まで起き上がっている場合に、ベッド２にマットレス１を載置した状態を示している。
【０１０４】
図１２の（Ｂ）に示すように、ベッド２を稼働させ、背ボトム２１１が腰ボトム２１２に対して起き上がるように傾斜した場合に、これらの接合部分は、屈曲する。頭側支持部３１と腰側支持部３２との接合部分、及び、腰側支持部３２と足側支持部３３との接合部分が端に平面に対して略垂直となっている場合に比べ、接合面積が大きく、曲げに強くなる。
【０１０５】
さらに、実施の形態１に係るマットレス１は、平板状の直方体形状をなしている。マットレス１は、第１端部材５１と、第２端部材５２とを有している。第１端部材５１は、第１クッション層１０と第２クッション層４０との間に積層され、マットレス１の左右方向の一端側（右側）でマットレス１の前後方向に向かって延びている。第２端部材５２は、第１クッション層１０と第２クッション層４０との間に積層され、左右方向の他端側（左側）で前後方向に向かって延びている。第１端部材５１と第２端部材５２との間には、第１中間層２０と第２中間層３０とが挟持されている。
【０１０６】
この構成によれば、使用者がマットレス１の上に寝姿勢となった場合に、マットレス１の中央部分が変形したとしても、第１端部材５１と第２端部材５２とが第１クッション層１０及び第２クッション層４０とを挟持しているため、左右方向への変形を抑制することができる。
【０１０７】
また、通常、使用者がマットレス１の上で寝姿勢になる場合、又は、マットレス１から外に出る場合、マットレス１の中央側から左右方向の両端側のいずれかで腰を掛ける。ここで、第１端部材５１及び第２端部材５２は、このマットレス１のクッション材において、最も硬く、硬さがＨ＝３００Ｎ／３１４ｃｍ２である。腰側支持部３２は、第１端部材５１及び第２端部材５２の次に硬く、硬さがＨ＝２１０Ｎ／３１４ｃｍ２である。頭側支持部３１及び足側支持部３３は、硬さがＨ＝１１０Ｎ／３１４ｃｍ２である。この場合、第１端部材５１及び第２端部材５２と腰側支持部３２の硬度差は、第１端部材５１及び第２端部材５２と頭側支持部３１及び足側支持部３３との硬度差に比べて小さい。このため、このマットレス１では、使用者がマットレス１に深く腰をかけたときに、使用者の姿勢が安定し易い。その結果、マットレス１に腰掛けた使用者は、起き上がりから立ち上がり、及び、立ち下りから寝転びの連動動作をスムーズに行うことができる。
【０１０８】
さらに、実施の形態１に係るマットレス１では、第２クッション層４０は、第２中間層３０よりも柔らかい。
【０１０９】
この構成によれば、第２クッション層４０には、使用者が直接的又は布カバー等を介して間接的に接触する。このため、第２クッション層４０は、使用者がマットレス１の上に乗った場合に、使用者の圧力を分散する、つまり、体圧分散をすることができる。特に、この第２クッション層４０は、発泡ウレタンの連続気泡構造であり、このマットレス１において最もキメが細かいため、触り心地がなめらかであり、肌触りがよい。
【０１１０】
さらに、実施の形態１に係るマットレス１において、第１クッション層１０では、第１クッション層１０のベッド２側と対面する第１クッション層１０の下面１０ａにおける膝ボトム２１３と足ボトム２１４との連結部分に対応する箇所には、凹部１１が形成されている。凹部１１は、少なくとも１つ以上形成されていればよい。凹部１１は、深さが１０ｍｍ以上、かつ、開口幅Ｗ１１が２０ｍｍ以上である。
【０１１１】
図１２の（Ａ）は、実施の形態１のマットレスに係り、図９に示す状態のマットレスの凹部の周辺の断面図である。
【０１１２】
図１２の（Ａ）は、膝ボトム２１３及び足ボトム２１４が最大位置まで起き上がっている場合に、ベッド２にマットレス１を載置した状態を示している。
【０１１３】
図１２の（Ａ）に示すように、この構成によれば、マットレス１は、ギャッジ動作における膝ボトム２１３及び足ボトム２１４の姿勢変形に連動して、マットレス１における膝ボトム２１３と足ボトム２１４との連結部分に対応する箇所も山形に屈曲する。つまり、ボトム２１０が屈曲変形するに従って凹部１１の開口幅Ｗ１１が小さくなり、マットレス１が屈曲する。このため、ボトム２１０のライン形状に合った形でマットレス１の自然なラインを形成することができる。このため、ベッド２のギャッジ動作においてマットレス１にしわやたるみ等が発生するといったことを抑制できる。その結果、このマットレス１では、ギャッジ動作の膝上げによるボトム２１０の姿勢変形に精度良く追従させることができるため、ギャッジ性が優れている。
【０１１４】
これにより、ギャッジ性だけではなく、体圧分散性、肌触り、寝返り易さ及び通気性にも優れたマットレス１を実現できる。つまり、このマットレス１によれば、寝心地のよいマットレス１を実現できる。
【０１１５】
さらに、実施の形態１に係るマットレス１では、凹部１１は、左右方向に沿って第１クッション層１０の一方の側端縁から他方の側端縁にわたって形成されている。
【０１１６】
この構成によれば、マットレス１が屈曲しやすくなるので、マットレス１における膝ボトム２１３と足ボトム２１４との連結部分に対応する箇所は、膝ボトム２１３及び足ボトム２１４の姿勢変形に連動して変形する。その結果、このマットレス１では、ギャッジ動作の膝上げによるボトム２１０の姿勢変形により精度良く追従させることができるため、ギャッジ性がより優れている。
【０１１７】
さらに、実施の形態１に係るマットレス１において、第１クッション層１０の下面１０ａには、少なくとも１つ以上の連続切り込み部１２が左右方向に沿って第１クッション層１０の一方の側端縁から他方の側端縁にわたって形成されている。
【０１１８】
図１２の（Ｂ）に示すように、この構成によれば、マットレス１が屈曲しやすくなるので、マットレス１における背ボトム２１１と腰ボトム２１２との連結部分に対応する箇所は、背ボトム２１１及び腰ボトム２１２の姿勢変形に連動して変形する。したがって、このマットレス１では、腰側においても、ギャッジ動作の背上げによるボトム２１０の姿勢変形に精度良く追従させることができるため、ギャッジ性がより優れている。
【０１１９】
（実施の形態１の変形例１）
次に、本実施の形態１の変形例１におけるマットレス１について図１３の（Ａ）を用いて説明する。図１３の（Ａ）は、実施の形態１の変形例１におけるマットレスに係り、第２中間層を示す部分断面図である。
【０１２０】
図１３の（Ａ）に示すように、第２中間層３０の頭側支持部３１は、上辺が長辺、下辺が短辺であり、断面が台形形状をなした平板状の部材である。頭側支持部３１の第１接合面３１ａは、前方から後方に向かって上り傾斜し、下方を向いている。
【０１２１】
第２中間層３０の腰側支持部３２は、上辺が短辺、下辺が長辺であり、断面が台形形状をなした平板状の部材である。腰側支持部３２の第１接合面３２ａは、前方から後方に向かって上り傾斜し、上方を向いている。
【０１２２】
また、腰側支持部３２の第２接合面３２ｂは、前方から後方に向かって下り傾斜し、上方を向いている。
【０１２３】
第２中間層３０の足側支持部３３は、上辺が長辺、下辺が短辺であり、断面が台形形状をなした平板状の部材である。足側支持部３３の第２接合面３３ａは、前方から後方に向かって下り傾斜し、下方を向いている。
【０１２４】
なお、実施の形態１の変形例１は、実施の形態１の第２中間層３０の上下を裏返した構成と同様である。
【０１２５】
実施の形態１の変形例１においても、他の構成については、実施の形態１と同様の構成であり、実施の形態１と同様の作用効果を奏する。
【０１２６】
（実施の形態１の変形例２）
次に、本実施の形態１の変形例２におけるマットレス１について図１３の（Ｂ）を用いて説明する。図１３の（Ｂ）は、実施の形態１の変形例２におけるマットレスに係り、第２中間層を示す部分断面図である。
【０１２７】
図１３の（Ｂ）に示すように、第２中間層３０の頭側支持部３１は、上辺が短辺、下辺が長辺であり、断面が台形形状をなした平板状の部材である。頭側支持部３１の第１接合面３１ｐは、前方から後方に向かって下り傾斜し、上方を向いている。
【０１２８】
第２中間層３０の腰側支持部３２は、上辺と下辺と略同一の長さで、断面が平行四辺形状をなした平板状の部材である。腰側支持部３２の第１接合面３２ｐは、前方から後方に向かって上り傾斜し、上方を向いている。また、腰側支持部３２の第２接合面３２ｑは、前方から後方に向かって下り傾斜し、上方を向いている。
【０１２９】
なお、腰側支持部３２の下面３２ｇと腰側支持部３２の第１接合面３２ｐとが交差する角度θと、腰側支持部３２の上面３２ｆと腰側支持部３２の第２接合面３２ｑとが交差する角度θとは略等しい。つまり、第１接合面３２ｐと第２接合面３２ｑとは略平行である。
【０１３０】
第２中間層３０の足側支持部３３は、上辺が長辺、下辺が短辺であり、断面が台形形状をなした平板状の部材である。足側支持部３３の第２接合面３３ｐは、前方から後方に向かって下り傾斜し、下方を向いている。
【０１３１】
実施の形態１の変形例２においても、他の構成については、実施の形態１と同様の構成であり、実施の形態１と同様の作用効果を奏する。
【０１３２】
（実施の形態１の変形例３）
次に、本実施の形態１の変形例３におけるマットレス１について図１３の（Ｂ）を用いて説明する。図１３の（Ｃ）は、実施の形態１の変形例３におけるマットレスに係り、第２中間層を示す部分断面図である。
【０１３３】
図１３の（Ｃ）に示すように、第２中間層３０の頭側支持部３１は、上辺が長辺、下辺が短辺であり、断面が台形形状をなした平板状の部材である。頭側支持部３１の第１接合面３１ｐは、前方から後方に向かって上り傾斜し、下方を向いている。
【０１３４】
第２中間層３０の腰側支持部３２は、上辺と下辺と略同一の長さで、断面が平行四辺形状をなした平板状の部材である。腰側支持部３２の第１接合面３２ｐは、前方から後方に向かって上り傾斜し、上方を向いている。また、腰側支持部３２の第２接合面３２ｑは、前方から後方に向かって上り傾斜し、下方を向いている。
【０１３５】
第２中間層３０の足側支持部３３は、上辺が短辺、下辺が長辺であり、断面が台形形状をなした平板状の部材である。足側支持部３３の第２接合面３３ｐは、前方から後方に向かって上り傾斜し、上方を向いている。
【０１３６】
なお、実施の形態１の変形例３は、実施の形態１における変形例２の第２中間層３０の上下を裏返した構成と同様である。
【０１３７】
実施の形態１の変形例３においても、他の構成については、実施の形態１と同様の構成であり、実施の形態１と同様の作用効果を奏する。
【０１３８】
（実施の形態２）
［構成］
次に、本発明の実施の形態２に係るマットレス１００の構成について、図１４及び図１５を用いて説明する。図１４は、実施の形態２のマットレスに係る分解斜視図である。図１５は、実施の形態２のマットレスに係り、第１クッション層を示す正面図である。
【０１３９】
図１４及び図１５に示すように、このマットレス１００における他の構成は、実施の形態１のマットレス１と同様であり、同一の構成については同一の符号を付して構成に関する詳細な説明を省略する。また、ベッド２においては、実施の形態２のベッド２と同様であり、同一の構成については同一の符号を付して構成に関する詳細な説明を省略する。
【０１４０】
実施の形態２におけるマットレス１００では、第２中間層３０の足側支持部３３は、第１足側支持部１３３と、第２足側支持部１３４とを有している。
【０１４１】
第１足側支持部１３３は、マットレス１の後方側に位置し、使用者の大腿部側と下腿部側とに対応している。第１足側支持部１３３は、前側の面を構成する第２接合面１３３ａと、右側の側面を構成する右面１３３ｂと、左側の側面を構成する左面１３３ｃと、上側の面を構成する上面１３３ｅと、下側の面を構成する下面１３３ｆと、後側の面を構成する後面１３３ｇとを有している。
【０１４２】
第１足側支持部１３３の第２接合面１３３ａは、前方から後方に向かって上り傾斜し、上方を向いている。第１足側支持部１３３の下面１３３ｆは、第１中間層２０の上面に接着されている。つまり、第１足側支持部１３３の下面１３３ｆは、足側端部２３の上面２３ｄ、及び、弾性部２１の上面２１ｄの後方側と接着剤等で接着している。なお、足側支持部３３の下面３３ｆと弾性部２１の上面２１ｄとは、接触しているだけでもよい。第１足側支持部１３３は、実施の形態１の足側支持部３３と前後方向の長さが異なるだけで、他の構成は実施の形態１の足側支持部３３と同様である。
【０１４３】
第２足側支持部１３４は、踵側に対応している。第２足側支持部１３４は、左右方向に延びる直方体部材である。第２足側支持部１３４は、前側の面を構成する前面１３４ａと、右側の側面を構成する右面１３４ｂと、左側の面を構成する左面１３４ｃと、上側の面を構成する上面１３４ｄと、下側の面を構成する下面１３４ｅとを有している。第２足側支持部１３４の前面１３４ａは、第１足側支持部１３３の後面１３３ｇと接着剤等で接着している。第２足側支持部１３４の下面１３４ｅは、第１中間層２０の上面（足側端部２３の上面２３ｄ、弾性部２１の上面２１ｄの後側）と接着剤等で接着している。なお、第２足側支持部１３４の下面１３４ｅと弾性部２１の上面２１ｄとは、接触しているだけでもよい。第２足側支持部１３４の上面１３４ｄは、第２クッション層４０の下面４０ａと接着剤等で接着している。
【０１４４】
本実施の形態において、第１足側支持部１３３は前後方向の長さＬ１３３が４００ｍｍであり、第２足側支持部１３４は前後方向の長さＬ１３４が４１０ｍｍである。長さＬ１３３と長さＬ１３４との合計は、実施の形態１の足側支持部３３の長さＬ３３と等しい。また、第２足側支持部１３４において、上下方向の厚みが２０ｍｍで、密度が２５〜３５ｋｇ／ｍ３で、４０％硬さが２００〜２２０Ｎ／３１４ｃｍ２である。第２足側支持部１３４は、頭側支持部３１及び第１足側支持部１３３と腰側支持部３２との間の硬さ及び密度である。また、本実施の形態では、特に、第２足側支持部１３４において、密度が３０ｋｇ／ｍ３で、４０％硬さが２１０Ｎ／３１４ｃｍ２であることが好ましい。なお、第２足側支持部１３４において、上下方向の厚みは２０ｍｍより大きくてもよく、この厚みより小さくてもよい。
【０１４５】
［作用効果］
次に、本実施の形態２におけるマットレス１００の作用効果について説明する。
【０１４６】
このマットレス１００における他の作用効果は、実施の形態１のマットレス１と同一の作用効果であり、同一の作用効果については詳細な説明を省略する。
【０１４７】
上述したように、実施の形態２に係るマットレス１００において、第２足側支持部１３４は、腰側支持部３２、頭側支持部３１及び第１足側支持部１３３と硬さが異なっている。
【０１４８】
この構成によれば、使用者がマットレス１００に寝姿勢となった場合に、踵側は、頭側、腰側、大腿部側及び下腿部側と異なる体圧分散がされる。
【０１４９】
さらに、実施の形態２に係るマットレス１００において、第２足側支持部１３４は、腰側支持部３２よりも柔らかく、頭側支持部３１及び第１足側支持部１３３よりも硬い。
【０１５０】
この構成によれば、使用者がマットレス１００に寝姿勢となった場合に、第２足側支持部１３４は、下方に沈み難い。つまり、このマットレス１では、足側が足以外の身体よりも下方に下がり過ぎず、足側が足以外の身体よりも情報に上がり過ぎず、適度な硬さとなっている。このため、使用者の身体は、水平面と略平行に保つことができる。
【０１５１】
（その他変形例等）
以上、本発明に係るマットレス１、１００及びベッド２について、実施の形態１、２及び実施の形態１の変形例１、２、３に基づいて説明したが、本発明は、上記実施の形態１、２及び実施の形態１の変形例１、２、３に限定されるものではない。
【０１５２】
例えば、上記実施の形態及び上記実施の形態１の変形例において、連続切り込み部１２は、第１クッション層１０の厚み方向に貫通していてもよいし貫通していなくてもよい。また、連続切り込み部１２は、一定の切り込み幅を有するようにマットレス１、１００の一部を除くように形成されていてもよいが、単にマットレス１、１００を切断するように形成されていてもよい。後者の場合、連続切り込み部１２は、ボトム２１０が屈曲変形する前の状態（ボトム２１０が平坦の状態）においては開口していないが、ボトム２１０が屈曲変形するに従って連続切り込み部１２は開口するように変形する。
【０１５３】
また、マットレス１、１００は、電動式のベッド、及び、非電動式のボトムが変形するベッドに適用してもよく、ベッド２に載置することなく地面に直接載置してもよい。
【０１５４】
また、第１中間層２０の上には第２中間層３０を積層しているが、第２中間層３０の上に第１中間層２０を積層してもよい。
【０１５５】
その他、実施の形態１、２及び実施の形態１の変形例１、２、３に対して当業者が思いつく各種変形を施して得られる形態や、本発明の趣旨を逸脱しない範囲で実施の形態１、２及び実施の形態１の変形例１、２、３における構成要素及び機能を任意に組み合わせることで実現される形態も本発明に含まれる。
【符号の説明】
【０１５６】
１、１００  マットレス
２  ベッド
１０  第１クッション層
１１  凹部
１２  連続切り込み部
２０  第１中間層
２１  弾性部
３０  第２中間層
３１  頭側支持部
３１ａ、３２ａ、３１ｐ、３２ｐ  第１接合面
３２  腰側支持部
３２ｂ、３３ａ、３２ｑ、３３ｐ、１３３ａ  第２接合面
３３  足側支持部
４０  第２クッション層
５１  第１端部材
５２  第２端部材
１３３  第１足側支持部
１３４  第２足側支持部
２１１  背ボトム（第１ボトム、第２ボトム）
２１２  腰ボトム（第１ボトム、第２ボトム）
２１３  膝ボトム（第１ボトム、第２ボトム）
２１４  足ボトム（第１ボトム、第２ボトム）
【図１】
0006688988.tif 000002
【図２】
0006688988.tif 000003
【図３】
0006688988.tif 000004
【図４】
0006688988.tif 000005
【図５】
0006688988.tif 000006
【図６】
0006688988.tif 000007
【図７】
0006688988.tif 000008
【図８】
0006688988.tif 000009
【図９】
0006688988.tif 000010
【図１０】
0006688988.tif 000011
【図１１】
0006688988.tif 000012
【図１２】
0006688988.tif 000013
【図１３】
0006688988.tif 000014
【図１４】
0006688988.tif 000015
【図１５】
0006688988.tif 000016